(57)【要約】【課題】集熱器で集熱した熱を有効利用する。【解決手段】太陽光の熱を集熱器で集熱し、その集熱された液体の温度を集熱器内液温検出手段５で検出する。集熱器１に接続された液体循環通路を貯湯槽と湯水循環通路とに熱的に接続する。浴槽への水張りを指定されたタイミングで行った後に、集熱器内液温検出手段５の検出温度が予め定められた集熱利用浴槽水加熱設定温度以上であり、かつ、貯湯槽２内が予め定められた満蓄判断設定温度以上の湯で満たされていると判断された以降に、集熱利用浴槽水加熱制御手段が液体循環通路の液体循環ポンプ４を駆動させて液体循環通路内の液体を循環させると共に浴槽湯水循環ポンプ８を駆動させて湯水循環通路内に浴槽湯水を循環させ、液体循環通路内を通る液体と湯水循環通路内を通る浴槽湯水との熱交換を行うことにより集熱器で集熱した熱によって浴槽の水を加熱する。【選択図】図１
2014206341.tif 000002
【特許請求の範囲】
【請求項１】
太陽光の熱を集熱する集熱器と、該集熱器で集熱された液体の温度を検出する集熱器内液温検出手段と、前記集熱器に接続されて該集熱器を通して液体を循環させる液体循環ポンプを備えた液体循環通路とを有して、該液体循環通路には、貯湯槽と、浴槽に接続されて該浴槽の湯水を循環させる湯水循環ポンプを備えた湯水循環通路とがそれぞれ熱的に接続され、該湯水循環通路には該湯水循環通路に給水元からの水を注水弁を介して導入する注水通路が接続され、前記貯湯槽内の湯水の温度を検出する貯湯槽内湯水温検出手段を有し、該貯湯槽内湯水温検出手段により検出される検出温度よりも前記集熱器内液温検出手段により検出される検出温度が予め定められた集熱利用貯湯槽加熱設定温度以上高いときに前記液体循環通路内の液体を循環させ、前記貯湯槽内の湯水と前記液体循環通路内の液体とを熱交換することにより前記貯湯槽内の湯水を加熱する集熱利用貯湯槽湯水加熱制御手段と、前記浴槽への水張りの後に、前記集熱器内液温検出手段の検出温度が予め定められた集熱利用浴槽水加熱設定温度以上であり、かつ、前記貯湯槽内が予め定められた満蓄判断設定温度以上の湯で満たされていると判断された以降に、前記液体循環ポンプを駆動させて前記液体循環通路内の液体を循環させると共に前記湯水循環ポンプを駆動させて前記湯水循環通路内に浴槽湯水を循環させ、前記液体循環通路内を通る液体と前記湯水循環通路内を通る浴槽湯水との熱交換を行うことにより前記集熱器で集熱した熱によって前記浴槽の水を加熱する集熱利用浴槽水加熱制御手段を有することを特徴とする熱源装置。
【請求項２】
熱源装置にはリモコン装置が信号接続されて該リモコン装置には浴槽への湯水張り指令を行うための湯水張り指令操作手段が設けられており、該湯水張り指令操作手段の操作に基づく湯水張り指令が行われたときと、該湯水張り指令が行われたときに集熱器内液温検出手段により検出される検出温度が集熱利用浴槽水加熱用の水張り設定温度以上のときと、予め定められた設定時刻になったときのいずれかの予め指定されたタイミングに浴槽への水張りを行うことを特徴とする請求項１記載の熱源装置。
【請求項３】
熱源装置にはリモコン装置が信号接続されて該リモコン装置には浴槽への湯水張り指令を行うための湯水張り指令操作手段が設けられており、該湯水張り指令操作手段の操作に基づく湯水張り指令が行われてから、貯湯槽内湯水温検出手段により検出される検出温度が予め定められる蓄熱完了判断水温以上になったときに、水張り制御手段は水張り条件を満たしたと判断して浴槽への水張りを行うことを特徴とする請求項１記載の熱源装置。
【請求項４】
液体循環通路の貯湯槽との熱的接続部に導入される液体の温度を検出する貯湯槽接続部導入液温検出手段を有し、熱源装置にはリモコン装置が信号接続されて該リモコン装置には浴槽への湯水張り指令を行うための湯水張り指令操作手段が設けられており、該湯水張り指令操作手段の操作に基づく湯水張り指令が行われてから、前記貯湯槽接続部導入液温検出手段により検出される検出温度が予め定められる蓄熱完了判断液温以上になったときに浴槽への水張りを行うことを特徴とする請求項１記載の熱源装置。
【請求項５】
熱源装置にはリモコン装置が信号接続されて該リモコン装置には浴槽への湯水張り指令を行うための湯水張り指令操作手段が設けられており、気象情報を格納する情報格納部と、前記湯水張り指令操作手段が操作されたときに該湯水張り指令操作手段の操作日に集熱器の集熱利用による浴槽水の加熱が可能かどうかを前記情報格納部に格納された気象情報に基づき判断する気象情報対応集熱判断手段とを有し、該気象情報対応集熱判断手段によって前記操作日に前記集熱器の集熱利用による前記浴槽水の加熱が可能であると判断されたときに浴槽への水張りを行うことを特徴とする請求項１記載の熱源装置。
【請求項６】
湯水循環通路には該湯水循環通路を通って循環する湯水を太陽光の熱を利用せずに加熱する補助加熱手段が介設されていることを特徴とする請求項１乃至請求項５のいずれか一つに記載の熱源装置。
【請求項７】
熱源装置にはリモコン装置が信号接続されて該リモコン装置には浴槽への湯水張り指令を行うための湯水張り指令操作手段が設けられ、前記リモコン装置には、前記湯水張り指令操作手段の操作に基づく湯水張り指令が行われたときに集熱器内液温検出手段により検出される検出温度が集熱利用浴槽水加熱用の水張り設定温度よりも低かったときには前記湯水張り指令操作手段の操作日には集熱器の集熱利用による浴槽水の加熱ができないことの報知と、前記操作日に浴槽への水張りを行った後に補助加熱手段により風呂設定温度に加熱するか、前記水張りを行わないで代わりに補助加熱手段によって加熱した湯を注水通路と湯水循環通路とを通して前記浴槽へ湯張りするか、水張りも湯張りも行わないかの選択情報報知とを行う報知手段と、該報知手段の報知に基づき前記操作日に前記水張り制御手段による水張りを行うか該水張りを行わないで代わりに補助加熱手段によって加熱した湯を前記注水通路と前記湯水循環通路とを通して前記浴槽へ湯張りするか水張りも湯張りも行わないかを選択操作する選択操作手段とが設けられていることを特徴とする請求項６記載の熱源装置。
【請求項８】
熱源装置にはリモコン装置が信号接続されて該リモコン装置には浴槽への湯水張り指令を行うための湯水張り指令操作手段が設けられ、気象情報を格納する情報格納部と、前記湯水張り指令操作手段が操作されたときに該湯水張り指令操作手段の操作日に集熱器の集熱利用による浴槽水の加熱が可能かどうかを前記情報格納部に格納された気象情報に基づき判断する気象情報対応集熱判断手段とを有し、該気象情報対応集熱判断手段によって前記操作日に前記集熱器の集熱利用による前記浴槽水の加熱が可能でないと判断されたときには前記湯水張り指令操作手段の操作日には集熱器の集熱利用による浴槽水の加熱ができないことの報知と、前記操作日に浴槽への水張りを行った後に補助加熱手段により風呂設定温度に加熱するか、前記水張りを行わないで代わりに補助加熱手段によって加熱した湯を注水通路と湯水循環通路とを通して前記浴槽へ湯張りするか、水張りも湯張りも行わないかの選択情報報知とを行う報知手段と、該報知手段の報知に基づき前記操作日に前記水張り制御手段による水張りを行うか該水張りを行わないで代わりに補助加熱手段によって加熱した湯を前記注水通路と前記湯水循環通路とを通して前記浴槽へ湯張りするか水張りも湯張りも行わないかを選択操作する選択操作手段とが設けられていることを特徴とする請求項６記載の熱源装置。
【請求項９】
少なくとも集熱器内液温検出手段の検出温度と浴槽の設定水位と風呂設定温度とに応じた集熱器の集熱利用の浴槽の水加熱時間の制御情報を予め与え、集熱利用浴槽水加熱制御手段は、水張りした浴槽の設定水位の水が予め定められる沸き上げ指定時刻において予め定められる風呂設定温度または該風呂設定温度に近い温度の湯となるように、少なくとも集熱器内液温検出手段の検出温度と浴槽の設定水位と風呂設定温度と浴槽に張られた水の温度と前記水加熱時間の制御情報にと基づき液体循環ポンプと湯水循環ポンプを駆動させ集熱器で集熱した熱による前記浴槽の水の加熱を行うことを特徴とする請求項１乃至請求項８のいずれか一つに記載の熱源装置。
【発明の詳細な説明】
【技術分野】
【０００１】
本発明は、太陽光の熱を集める集熱器を備えた太陽熱利用の熱源装置に関するものである。
【背景技術】
【０００２】
大きな地震があったときに、浴槽の栓を自動的に閉じて浴槽に水を張り、地震による断水の影響が出る前に生活用水を確保することが提案されている（例えば、特許文献１、参照。）。
【先行技術文献】
【特許文献】
【０００３】
【特許文献１】特開２００６−２２９７０号公報
【発明の概要】
【発明が解決しようとする課題】
【０００４】
ところで、近年、住宅の屋根の上に太陽光の熱を集熱する集熱器（コレクター）を配置することが行われるようになり、集熱器と貯湯槽とを熱的に接続し、集熱器で集めた熱を貯湯槽に蓄える（蓄熱する）構成を備えた熱源装置が用いられるようになった。しかしながら、このような熱源装置において、貯湯槽内が予め定められた設定温度（満蓄とされる温度）以上の湯水で満たされるとそれ以上の蓄熱は行えず、熱の有効利用が十分には行われないといった問題が生じた。
【０００５】
また、特許文献１に記載された発明のように、地震があったときに浴槽に水を張る浴槽貯水システムにおいては、地震直後に断水があった場合には間に合わないため、必ずしも地震による断水時に必要な生活用水を確保できるとは限らないものであり、本発明者は、前記のような集熱器を備えた熱源装置において、熱の有効利用を十分に行え、かつ、できる限り災害時の生活用水確保も可能な熱源装置の必要性が高いのではないかと考えた。
【０００６】
本発明は、上記本発明者の考えに基づいてなされたものであり、その目的は、太陽熱利用を効率的に行うことができ、設定に応じて災害時の生活用水確保も可能な熱源装置を提供することにある。
【課題を解決するための手段】
【０００７】
本発明は上記目的を達成するために、次の構成をもって課題を解決する手段としている。すなわち、第１の発明は、太陽光の熱を集熱する集熱器と、該集熱器で集熱された液体の温度を検出する集熱器内液温検出手段と、前記集熱器に接続されて該集熱器を通して液体を循環させる液体循環ポンプを備えた液体循環通路とを有して、該液体循環通路には、貯湯槽と、浴槽に接続されて該浴槽の湯水を循環させる湯水循環ポンプを備えた湯水循環通路とがそれぞれ熱的に接続され、該湯水循環通路には該湯水循環通路に給水元からの水を注水弁を介して導入する注水通路が接続され、前記貯湯槽内の湯水の温度を検出する貯湯槽内湯水温検出手段を有し、該貯湯槽内湯水温検出手段により検出される検出温度よりも前記集熱器内液温検出手段により検出される検出温度が予め定められた集熱利用貯湯槽加熱設定温度以上高いときに前記液体循環通路内の液体を循環させ、前記貯湯槽内の湯水と前記液体循環通路内の液体とを熱交換することにより前記貯湯槽内の湯水を加熱する集熱利用貯湯槽湯水加熱制御手段と、前記浴槽への水張りの後に、前記集熱器内液温検出手段の検出温度が予め定められた集熱利用浴槽水加熱設定温度以上であり、かつ、前記貯湯槽内が予め定められた満蓄判断設定温度以上の湯で満たされていると判断された以降に、前記液体循環ポンプを駆動させて前記液体循環通路内の液体を循環させると共に前記湯水循環ポンプを駆動させて前記湯水循環通路内に浴槽湯水を循環させ、前記液体循環通路内を通る液体と前記湯水循環通路内を通る浴槽湯水との熱交換を行うことにより前記集熱器で集熱した熱によって前記浴槽の水を加熱する集熱利用浴槽水加熱制御手段を有する構成をもって課題を解決する手段としている。
【０００８】
また、第２の発明は、前記第１の発明の構成に加え、前記熱源装置にはリモコン装置が信号接続されて該リモコン装置には浴槽への湯水張り指令を行うための湯水張り指令操作手段が設けられており、該湯水張り指令操作手段の操作に基づく湯水張り指令が行われたときと、該湯水張り指令が行われたときに集熱器内液温検出手段により検出される検出温度が集熱利用浴槽水加熱用の水張り設定温度以上のときと、予め定められた設定時刻になったときのいずれかの予め指定されたタイミングに浴槽への水張りを行うことを特徴とする。
【０００９】
さらに、第３の発明は、前記第１の発明の構成に加え、前記熱源装置にはリモコン装置が信号接続されて該リモコン装置には浴槽への湯水張り指令を行うための湯水張り指令操作手段が設けられており、該湯水張り指令操作手段の操作に基づく湯水張り指令が行われてから、貯湯槽内湯水温検出手段により検出される検出温度が予め定められる蓄熱完了判断水温以上になったときに浴槽への水張りを行うことを特徴とする。
【００１０】
さらに、第４の発明は、前記第１の発明の構成に加え、前記液体循環通路の貯湯槽との熱的接続部に導入される液体の温度を検出する貯湯槽接続部導入液温検出手段を有し、熱源装置にはリモコン装置が信号接続されて該リモコン装置には浴槽への湯水張り指令を行うための湯水張り指令操作手段が設けられており、該湯水張り指令操作手段の操作に基づく湯水張り指令が行われてから、前記貯湯槽接続部導入液温検出手段により検出される検出温度が予め定められる蓄熱完了判断液温以上になったときに浴槽への水張りを行うことを特徴とする。
【００１１】
さらに、第５の発明は、前記第１の発明の構成に加え、前記熱源装置にはリモコン装置が信号接続されて該リモコン装置には浴槽への湯水張り指令を行うための湯水張り指令操作手段が設けられており、気象情報を格納する情報格納部と、前記湯水張り指令操作手段が操作されたときに該湯水張り指令操作手段の操作日に集熱器の集熱利用による浴槽水の加熱が可能かどうかを前記情報格納部に格納された気象情報に基づき判断する気象情報対応集熱判断手段とを有し、該気象情報対応集熱判断手段によって前記操作日に前記集熱器の集熱利用による前記浴槽水の加熱が可能であると判断されたときに浴槽への水張りを行うことを特徴とする。
【００１２】
さらに、第６の発明は、前記第１乃至第５のいずれか一つの発明の構成に加え、前記湯水循環通路には該湯水循環通路を通って循環する湯水を太陽光の熱を利用せずに加熱する補助加熱手段が介設されていることを特徴とする。
【００１３】
さらに、第７の発明は、前記第６の発明の構成に加え、前記熱源装置にはリモコン装置が信号接続されて該リモコン装置には浴槽への湯水張り指令を行うための湯水張り指令操作手段が設けられ、前記リモコン装置には、前記湯水張り指令操作手段の操作に基づく湯水張り指令が行われたときに集熱器内液温検出手段により検出される検出温度が集熱利用浴槽水加熱用の水張り設定温度よりも低かったときには、前記湯水張り指令操作手段の操作日には集熱器の集熱利用による浴槽水の加熱ができないことの報知と、前記操作日に浴槽への水張りを行った後に補助加熱手段により風呂設定温度に加熱するか、前記水張りを行わないで代わりに補助加熱手段によって加熱した湯を注水通路と湯水循環通路とを通して前記浴槽へ湯張りするか、水張りも湯張りも行わないかの選択情報報知とを行う報知手段と、該報知手段の報知に基づき前記操作日に水張りを行うか水張りを行わないで代わりに補助加熱手段によって加熱した湯を前記注水通路と前記湯水循環通路とを通して前記浴槽へ湯張りするか水張りも湯張りも行わないかを選択操作する選択操作手段とが設けられていることを特徴とする。
【００１４】
さらに、第８の発明は、前記第６の発明の構成に加え、前記熱源装置にはリモコン装置が信号接続されて該リモコン装置には浴槽への湯水張り指令を行うための湯水張り指令操作手段が設けられ、気象情報を格納する情報格納部と、前記湯水張り指令操作手段が操作されたときに該湯水張り指令操作手段の操作日に集熱器の集熱利用による浴槽水の加熱が可能かどうかを前記情報格納部に格納された気象情報に基づき判断する気象情報対応集熱判断手段とを有し、該気象情報対応集熱判断手段によって前記操作日に前記集熱器の集熱利用による前記浴槽水の加熱が可能でないと判断されたときには、前記湯水張り指令操作手段の操作日には集熱器の集熱利用による浴槽水の加熱ができないことの報知と、前記操作日に浴槽への水張りを行った後に補助加熱手段により風呂設定温度に加熱するか、前記水張りを行わないで代わりに補助加熱手段によって加熱した湯を注水通路と湯水循環通路とを通して前記浴槽へ湯張りするか、水張りも湯張りも行わないかの選択情報報知とを行う報知手段と、該報知手段の報知に基づき前記操作日に前記水張り制御手段による水張りを行うか該水張りを行わないで代わりに補助加熱手段によって加熱した湯を前記注水通路と前記湯水循環通路とを通して前記浴槽へ湯張りするか水張りも湯張りも行わないかを選択操作する選択操作手段とが設けられていることを特徴とする。
【００１５】
さらに、第９の発明は、前記第１乃至第８のいずれか一つの発明の構成に加え、少なくとも集熱器内液温検出手段の検出温度と浴槽の設定水位と風呂設定温度と浴槽に張られた水の温度に応じた集熱器の集熱利用の浴槽の水加熱時間の制御情報を予め与え、集熱利用浴槽水加熱制御手段は、水張りした浴槽の設定水位の水が予め定められる沸き上げ指定時刻において予め定められる風呂設定温度または該風呂設定温度に近い温度の湯となるように、少なくとも集熱器内液温検出手段の検出温度と浴槽の設定水位と風呂設定温度と浴槽に張られた水の温度と前記水加熱時間の制御情報とに基づき液体循環ポンプと湯水循環ポンプを駆動させ集熱器で集熱した熱による前記浴槽の水の加熱を行うことを特徴とする。
【発明の効果】
【００１６】
本発明によれば、太陽光の熱を集熱器により集熱し、この集熱した熱を利用して、貯湯槽内の湯水を加熱できることに加え、浴槽への水張りの後に、集熱器内液温検出手段の検出温度（集熱器で集熱された液体の温度）が予め定められた集熱利用浴槽水加熱設定温度以上であり、かつ、貯湯槽内が予め定められた満蓄判断設定温度以上の湯で満たされていると判断された以降に、集熱器で集熱した熱によって浴槽の水を加熱するので、集熱器で集熱した熱を効率的に利用することができるし、浴槽に張られた水または、この水が加熱されて形成される湯を、災害時に生活用水として利用することもできる。
【００１７】
なお、浴槽への水張りのタイミングは適宜設定されるものであるが、例えば熱源装置に信号接続されたリモコン装置に、浴槽への湯水張り指令を行うための湯水張り指令操作手段を設け、該湯水張り指令操作手段の操作に基づく湯水張り指令が行われたときと、該湯水張り指令が行われたときに集熱器内液温検出手段により検出される検出温度が集熱利用浴槽水加熱用の水張り設定温度以上のときのいずれかの予め指定されたタイミングに浴槽への水張りを行うことができる。このようにすることにより、例えば利用者が朝に湯水張り指令操作手段を操作するようにすれば、朝のうちから浴槽への水張りが行われることが多く、水張りが行われてから利用者が入浴して浴槽の湯を排水するまでの間に断水が生じても、浴槽の水を災害時の生活用水として利用できる。
【００１８】
また、予め定められた設定時刻になったときに浴槽への水張りを行うようにすれば、設定時刻を例えば午前中の時刻等、適宜の時刻に設定することにより、前記と同様の効果を奏することができる。
【００１９】
さらに、熱源装置に信号接続されたリモコン装置に、浴槽への湯水張り指令を行うための湯水張り指令操作手段を設けて、該湯水張り指令操作手段の操作に基づく湯水張り指令が行われてから、貯湯槽内湯水温検出手段により検出される検出温度が予め定められる蓄熱完了判断水温以上になったときに、浴槽への水張りを行うようにすれば、集熱器の熱を利用して浴槽の水の加熱が可能になる頃に水張りが行えるので、その水張り直後に浴槽の水を加熱することができる。
【００２０】
さらに、液体循環通路の貯湯槽との熱的接続部に導入される液体の温度を検出する貯湯槽接続部導入液温検出手段を設け、熱源装置に信号接続されたリモコン装置に、浴槽への湯水張り指令を行うための湯水張り指令操作手段を設けて、該湯水張り指令操作手段の操作に基づく湯水張り指令が行われてから、前記貯湯槽接続部導入液温検出手段により検出される検出温度が予め定められる蓄熱完了判断液温以上になったときに浴槽への水張りを行うようにする場合にも、集熱器の熱を利用して浴槽の水の加熱が可能になる頃に水張りが行えるので、その水張り直後に浴槽の水を加熱することができる。
【００２１】
さらに、熱源装置に信号接続されたリモコン装置に、浴槽への湯水張り指令を行うための湯水張り指令操作手段を設け、気象情報を格納する情報格納部と、前記湯水張り指令操作手段が操作されたときに該湯水張り指令操作手段の操作日に集熱器の集熱利用による浴槽水の加熱が可能かどうかを前記情報格納部に格納された気象情報に基づき判断する気象情報対応集熱判断手段とを設けて、前記操作日に集熱器の集熱利用による浴槽水の加熱が可能であると判断されたときに浴槽への水張りを行うようにすれば、湯水張り指令操作手段の操作日の気象情報に対応させて、集熱利用による浴槽湯水の加熱が可能な日に浴槽への水張りを行うので、その後、集熱利用による浴槽湯水加熱をほぼ確実に行うことができる。
【００２２】
また、このようにすると、例えば利用者が、まだ日の出前の早朝に湯水張り指令操作手段を操作した場合に、その時には、湯水張り指令操作手段の操作日に集熱器による集熱利用によって浴槽湯水の加熱を行えるかどうかが分からない場合でも、情報格納部に格納された気象情報に基づく気象情報対応集熱判断手段の判断に対応させて、集熱器による集熱利用によって浴槽湯水の加熱を行えるときには、湯水張り指令操作手段の操作時に早めに浴槽に水張りを行うことができる。そのため、その浴槽に水張りした水を非常時の災害用水として利用できるし、浴槽への水張りの後に、集熱器による集熱利用によって浴槽湯水の加熱を行うことにより、集熱器で集熱した熱の有効利用を行うことができる。
【００２３】
さらに、湯水循環通路に、該湯水循環通路を通って循環する湯水を太陽の熱を利用せずに加熱する補助加熱手段を介設することにより、例えば天候が悪く、太陽熱の利用だけでは浴槽湯水を風呂設定温度に高めることができない場合には、補助加熱手段によって浴槽湯水の加熱を行うことができる。なお、補助加熱手段を用いる場合でも、太陽熱利用によって浴槽水を多少なりとも加熱した上に、補助加熱手段による加熱を行えば、補助加熱手段で用いるガスや石油、電気等のエネルギーの使用量を、太陽熱利用を全く行わない場合に比べて少なくできる。
【００２４】
さらに、熱源装置に信号接続したリモコン装置に、浴槽への湯水張り指令を行うための湯水張り指令操作手段と、該湯水張り指令操作手段の操作に基づく湯水張り指令が行われたときに集熱器内液温検出手段により検出される検出温度が集熱利用浴槽水加熱用の水張り設定温度よりも低かったときのための、前記湯水張り指令操作手段の操作日には集熱器の集熱利用による浴槽水の加熱ができない旨の報知を行う報知手段と、報知手段の報知に基づき、利用者にその日の水張りや湯張りに関する動作を選択してもらうための選択操作手段とを設けることにより、以下の効果を奏することができる。
【００２５】
つまり、湯水張り指令操作手段の操作に基づく湯水張り指令が行われたときに、集熱器内液温検出手段により検出される検出温度が集熱利用浴槽水加熱用の水張り設定温度よりも低かったときには、その操作日には集熱器の集熱利用による浴槽水の加熱ができない可能性が高い。
【００２６】
そこで、このことを報知手段により報知し、かつ、その場合には、湯水張り指令操作手段の操作日に浴槽への水張りを行った後に補助加熱手段により風呂設定温度に加熱するか、水張りを行わないで代わりに補助加熱手段によって加熱した湯を注水通路と湯水循環通路とを通して前記浴槽へ湯張りするか、水張りも湯張りも行わないかの選択情報報知を行い、これらのうち、いずれかを選択操作手段の操作によって利用者に選択操作してもらうようにすれば、集熱器の集熱利用による浴槽水の加熱ができない可能性が高い場合に、利用者の意図にあった別の動作制御を熱源装置によって適宜行うようにすることができ、使い勝手の良好な熱源装置とすることができる。
【００２７】
さらに、熱源装置に信号接続されたリモコン装置に、浴槽への湯水張り指令を行うための湯水張り指令操作手段を設け、気象情報を格納する情報格納部と、前記湯水張り指令操作手段が操作されたときに、該湯水張り指令操作手段の操作日に集熱器の集熱利用による浴槽水の加熱が可能かどうかを前記情報格納部に格納された気象情報に基づき判断する気象情報対応集熱判断手段とを設けて、前記操作日に集熱器の集熱利用による浴槽水の加熱が可能でないと判断されたときに、前記湯水張り指令操作手段の操作日には集熱器の集熱利用による浴槽水の加熱ができない旨の報知を行う報知手段と、報知手段の報知に基づき、利用者にその日の水張りや湯張りに関する動作を選択してもらうための選択操作手段とを設けることにより、前記と同様に、集熱器の集熱利用による浴槽水の加熱ができない可能性が高い場合に、利用者の意図にあった別の動作制御を熱源装置によって適宜行うようにすることができ、使い勝手の良好な熱源装置とすることができる。
【００２８】
さらに、少なくとも集熱器内液温検出手段の検出温度と浴槽の設定水位と風呂設定温度と浴槽に張られた水の温度に応じた集熱器の集熱利用の浴槽の水加熱時間の制御情報を予め与え、集熱利用浴槽水加熱制御手段は、水張りした浴槽の設定水位の水が予め定められる沸き上げ指定時刻において予め定められる風呂設定温度または該風呂設定温度に近い温度の湯となるように、前記水加熱時間の制御情報に基づいて液体循環ポンプと湯水循環ポンプを駆動させ集熱器で集熱した熱による前記浴槽の水の加熱を行うようにすれば、沸き上げ指定時刻において、浴槽の湯を予め定められる風呂設定温度または該風呂設定温度に近い温度の湯にすることができ、利用者が心地よく利用できるようにすることができる。
【図面の簡単な説明】
【００２９】
【図１】本発明に係る熱源装置の一実施例の制御構成を示すブロック図である。
【図２】実施例の熱源装置の一実施例のシステム構成図である。
【図３】実施例の熱源装置に適用される補助熱源装置のシステム構成例を示す説明図である。
【図４】本発明に係る熱源装置の他の実施例のシステム構成図である。
【図５】実施例の動作の一部を示すフローチャートである。
【図６】実施例における図５に続く動作を示すフローチャートである。
【図７】実施例における図６に続く動作を示すフローチャートである。
【図８】実施例における図５〜図７の一部動作に続く動作を示すフローチャートである。
【発明を実施するための形態】
【００３０】
以下、本発明の実施の形態を図面に基づき説明する。
【実施例１】
【００３１】
図２には、本発明に係る熱源装置の一実施例のシステム構成が模式的に示されている。同図において、集熱器１内には、集熱器１内の液体の温度を検出することにより、集熱器１で集熱された液体の温度を検出する集熱器内液温検出手段５が設けられており、集熱器１には、集熱器１を通して、図の矢印Ａに示すように、液体を循環させる液体循環通路３が接続されている。液体循環通路３には、液体循環ポンプ４と、シスターン３３と、三方弁１０と、戻り温検出手段３２が設けられている。シスターン３３には水位電極３４が設けられており、シスターン３３には大気開放通路３５が接続されている。
【００３２】
液体循環通路３は、液−液熱交換器９を介して湯水循環通路（追い焚き循環通路）７に熱的に接続されている。湯水循環通路７は、浴槽２７に接続されて浴槽湯水を循環させる通路であり、湯水循環通路７には、風呂温度センサ３９が設けられるとともに、補助加熱手段としての補助加熱装置２９が接続されている。
【００３３】
また、液体循環通路３は、その途中部が貯湯槽２内の下部側に通された貯湯槽内通過通路１１を成し、貯湯槽内通過通路１１と貯湯槽２とにより液−液熱交換器が形成されており、それにより、液体循環通路３は貯湯槽２と熱的に接続されている。前記戻り温検出手段３２は、液体循環通路３の貯湯槽２との熱的接続部（ここでは、貯湯槽内通過通路１１）に導入される液体の温度を検出する貯湯槽接続部導入液温検出手段として機能する。なお、液体循環通路３を循環させる液体は、湯水としてもよいし、例えば不凍液等の湯水以外の液体としてもよい。
【００３４】
貯湯槽２には、貯湯槽２内の湯水温を検出する貯湯槽内湯水温検出手段６が、貯湯槽２の上下方向に互いに間隔を介して複数（図２では４個）設けられている。また、貯湯槽２の上部には、貯湯槽２の湯を外部に給湯するための給湯路１２が接続され、貯湯槽２の下部には貯湯槽２への給水路１３が接続されており、給水路１３と給湯路１２とは、バイパス通路２３と混合弁１９を介して接続されている。バイパス通路２３には、入水温度を検出するサーミスタ２４と逆止弁２５とが介設されている。給水路１３には、逆止弁２６、減圧弁３６、水フィルタ３７、手動により開閉する給水弁３８が設けられている。
【００３５】
また、給湯路１２には、サーミスタ１４、電磁弁１５、バキュームブレーカ１８、水流センサ２０、サーミスタ２１，２２が設けられており、給湯路１２から分岐した分岐通路１２ａに、排水電磁弁１６、圧力逃がし弁１７が設けられている。給湯路１２の先端側には、前記補助加熱装置２９が接続されており、同図には図示されていないが、補助加熱装置２９内には、給湯路１２を通って補助加熱装置２９に導入される湯水を、必要に応じて太陽光の熱を利用せずにガスの燃焼によって加熱して出湯通路２８から出湯するようにする補助給湯用の回路と、前記湯水循環通路７を通って循環する湯水を必要に応じて太陽光の熱を利用せずにガスの燃焼によって加熱する補助追い焚き用の回路とが設けられている。
【００３６】
つまり、例えば図３に示すように、補助加熱装置２９には、ガス燃焼のバーナ装置５２，５３が設けられており、バーナ装置５２にはガス管５５ａが、バーナ装置５３にはガス管５５ｂがそれぞれ接続されている。バーナ装置５２は給湯バーナ装置であり、このバーナ装置５２の上側には給湯熱交換器５６が設けられている。給湯熱交換器５６の入側は管路５８を介して前記給湯路１２に接続されており、管路５８には流量センサ５９と入湯水温度センサ６０が設けられている。給湯熱交換器５６の出側には給湯温度センサ６１と出湯通路２８が設けられており、出湯通路２８は注水通路（注湯水通路）６２を介して湯水循環通路７に接続されている。注水通路６２には、電磁弁により形成された注水弁（注湯水弁）６３と流量センサ６４が介設されている。
【００３７】
前記バーナ装置５３は追い焚きバーナ装置であり、このバーナ装置５３の上側には追い焚き熱交換器５７が設けられて、湯水循環通路７に設けられている。湯水循環通路７には、湯水循環通路７を通して湯水を循環させる湯水循環ポンプとしての浴槽湯水循環ポンプ（追い焚き循環ポンプ）８と、湯水循環通路７の湯水の流れを検知する流水スイッチ４８と、流水スイッチ４８に内蔵された風呂温度センサ（図示せず）と、浴槽湯水の水位を圧力変動に基づいて検出する水位センサ４９とが設けられている。なお、補助熱源装置２９には、空気の給排気用のファン（図示せず）が設けられており、バーナ装置５２，５３の燃焼時には、このファンが駆動される。
【００３８】
浴槽湯水循環ポンプ８を駆動させることにより、図２、図３の矢印Ｃに示すように、湯水循環通路７を通して浴槽湯水が循環し、この浴槽湯水の循環と、図２の矢印Ａに示した液体循環通路３を通しての液体の循環とを行うことにより、液−液熱交換器９を介して、浴槽湯水と液体循環通路３内の液体との熱交換が行われ、集熱器１で集熱した熱を利用した浴槽水の加熱が行われる。なお、この動作についての詳細は、後述する。
【００３９】
また、本実施例の熱源装置は、図１に示す特徴的な制御構成を備えている。この制御構成は、熱源装置（熱源機）本体側に設けられた制御装置４１と、制御装置４１に信号接続されたリモコン装置４０とを有しており、リモコン装置４０と制御装置４１には、いずれも通信回路（図示せず）が設けられている。この通信回路を介してリモコン装置４０と制御装置４１とが通信を行うことにより、リモコン装置４０の操作に基づく制御装置４１の制御が行われ、以下に述べるような各動作が行われる。なお、図の簡略化のために、通信回路を介しての通信構成についての図示は省略し、また、その説明も省略する。
【００４０】
リモコン装置４０は、例えば浴室や台所に配置されており、リモコン装置４０には、報知手段４７、選択操作手段４８、湯水張り指令操作手段４９、情報設定入力操作手段５１が設けられ、制御装置４１には、注水制御手段４２、情報格納部４３、時計機構４４、集熱利用浴槽水加熱制御手段４５、集熱利用貯湯槽湯水加熱制御手段４６、補助燃焼制御手段５４が設けられている。
【００４１】
制御装置４１の集熱利用貯湯槽湯水加熱制御手段４６は、集熱器内液温検出手段５の検出温度が、貯湯槽内湯水温検出手段６のうち最下部に設けられている貯湯槽内湯水温検出手段６ｄの検出温度よりも集熱利用貯湯槽加熱設定温度（例えば７℃）以上高いときに、液体循環ポンプ４を駆動させて液体循環通路３内の液体を循環させ、貯湯槽内通過通路１１を介して貯湯槽２内の湯水と液体循環通路３内の液体とを熱交換することにより、貯湯槽２内の湯水を加熱する。
【００４２】
補助燃焼制御手段５４は、補助加熱装置２９の燃焼運転制御を行うものであり、具体的には、浴槽湯水循環ポンプ８の駆動制御によって、湯水循環通路７を循環させる湯水の流量を制御しながら、バーナ装置５３に供給する燃料ガス量の調整を、図示されていないガス電磁弁やガス比例弁の制御により行い、前記燃焼ファンの駆動制御を行って、ガス燃焼による浴槽湯水の追い焚きを行ったり、バーナ装置５２に供給する燃料ガスの調整や燃焼ファンの駆動制御を同様に行って、給湯路１２から補助燃焼装置２９に導入される湯水の加熱を行ったりする。
【００４３】
リモコン装置４０の情報設定入力操作手段５１は、利用者による手動操作に応じて、例えば浴槽湯水の沸き上げ指定時刻を設定したり、風呂設定温度を設定したり、給湯設定温度を設定したりする手段である。情報設定入力操作手段５１によって設定された情報は、制御装置４１の情報格納部４３に格納される。
【００４４】
湯水張り指令操作手段４９は、浴槽２７への湯水張り指令を行うための操作手段であり、本実施例では、リモコン装置４０に設けられた自動スイッチにより湯水張り指令操作手段４９が形成されている。自動スイッチが押されると、浴槽２７への湯水張り指令が制御装置４０の注水制御手段（水張り制御手段）４２に加えられる。
【００４５】
注水制御手段４２は、予め定められた水張り条件を満たしたとき、つまり、予め指定したタイミングに、浴槽２７への水張りを行う手段である。注水制御手段４２は、水張りを行う際に、混合弁１９を開き、給水路１３からの水をバイパス通路２３を通して補助加熱装置２９に導入し、注水弁６３を開き、加熱されていない水を湯水循環通路７を介して浴槽２７に注水する。注水制御手段４２は、このように貯湯槽２を通さないことによって太陽熱利用による加熱が行われておらず、補助加熱装置２９内の補助給湯用の回路による加熱も行われていない水を浴槽２７に注水して水張りする。水張りの水位は、通常、例えば予め情報設定入力操作手段５１で設定された浴槽２７の設定水位（風呂設定水位）とする。
【００４６】
本実施例において、注水制御手段４２による浴槽２７への水張りのタイミングは、以下のように指定されている。例えば図５のステップＳ１に示されるように、リモコン装置４０の自動スイッチ（湯水張り指令操作手段４９）が押されることにより湯水張り指令が行われたときに集熱器内液温検出手段５により検出される検出温度が、集熱利用浴槽水加熱用の水張り設定温度（例えば３２℃）以上のときに（図５のステップＳ２のＹｅｓ、参照）、注水制御手段４２による浴槽２７への水張りを行うように指定されている（図５のステップＳ３、参照）。この指定条件は情報格納部４３に格納されている。
【００４７】
なお、注水制御手段４２による浴槽２７への水張りのタイミングの指定条件はこの条件に限定されるものでなく、適宜設定されるものであり、例えば、湯水張り指令操作手段４９の操作に基づく湯水張り指令が行われたときを指定してもよいし、予め定められた設定時刻になったとき（例えば図５のステップＳ１ｔ、参照）を指定してもよい。設定時刻になったときに浴槽２７への水張りを行うようにする場合は、時計機構４４による時間情報を取り込んでタイミングを計るようにする。
【００４８】
また、図５のステップＳ１’に示されるように、湯水張り指令操作手段４９の操作に基づく湯水張り指令が行われてから、貯湯槽内湯水温検出手段６ｄにより検出される検出温度が予め定められる蓄熱完了判断水温（例えば５０℃）以上になったときに（図５のステップＳ２’、参照）、浴槽２７への水張りを行うことを浴槽２７への注水のタイミングの条件として指定して、注水制御手段４２によって浴槽２７への水張りを行ってもよい。
【００４９】
さらに、図１の破線に示すように、戻り温検出手段３２の検出温度を取り込み、湯水張り指令操作手段４９の操作に基づく湯水張り指令が行われてから（図５のステップＳ１”、参照）、戻り温検出手段３２により検出される検出温度が予め定められる蓄熱完了判断液温（例えば８０℃）以上になったときに（図５のステップＳ２”、参照）、浴槽２７への水張りを行うことを浴槽２７への注水のタイミングの条件として指定し、注水制御手段４２によって浴槽２７への水張りを行うようにしてもよい。
【００５０】
なお、前述した浴槽への水張りの方法が、図５のステップＳ３〜ステップＳ５に示されている。そして、図５のステップＳ６で、前記のように、集熱器内液温検出手段５の検出温度が、貯湯槽内湯水温検出手段６ｄの検出温度よりも集熱利用貯湯槽加熱設定温度（例えば７℃）以上高いときには、ステップＳ７から図６のステップＳ８に進む。
【００５１】
集熱利用浴槽水加熱制御手段４５は、注水制御手段４２による浴槽２６への水張りの後に、集熱器１で集熱した熱によって浴槽２７の水を加熱する。この加熱は、集熱器内液温検出手段５の検出温度が予め定められた集熱利用浴槽水加熱設定温度（例えば６０℃）以上であり、かつ、貯湯槽２内が予め定められた満蓄判断設定温度以上の湯で満たされていると判断されたとき（つまり、貯湯槽２内は熱で満たされ、十分な蓄熱がされているので、集熱器１で集めた熱を貯湯槽２へ収熱できないと判断したときであって、例えば、貯湯槽２内の湯水が全て５０℃以上となっていると判断されたときであり、貯湯槽内湯水温検出手段６ｄの検出温度が５０℃以上の場合）以降に（図６のステップＳ８、Ｓ９、参照）、図６のステップＳ１０で、液体循環ポンプ４を駆動させて液体循環通路３内の液体を循環させると共に、浴槽湯水循環ポンプ８を駆動させて湯水循環通路７内に浴槽湯水を循環させ、液体循環通路３内を通る液体と湯水循環通路７内を通る浴槽湯水とを熱交換して行う。
【００５２】
なお、前記情報格納部４３には、少なくとも集熱器内液温検出手段５の検出温度と浴槽２７の設定水位と風呂設定温度と浴槽２７に張られた水の温度とに応じた集熱器１の集熱利用の浴槽２７の水加熱時間の制御情報が予め与えられており、集熱利用浴槽水加熱制御手段４５は、注水制御手段４２によって水張りした浴槽２７の設定水位の水が、沸き上げ指定時刻において前記風呂設定温度または該風呂設定温度に近い温度の湯となるように、前記水加熱時間の制御情報に基づいて、液体循環ポンプ４と湯水循環ポンプ８を駆動させ、集熱器１で集熱した熱による浴槽２７の水の加熱を行う。
【００５３】
つまり、集熱利用浴槽水加熱制御手段４５は、注水制御手段４２による浴槽２６への水張りの後に、前記の如く、集熱器内液温検出手段５の検出温度が前記集熱利用浴槽水加熱設定温度以上であり、かつ、貯湯槽２内が前記満蓄判断設定温度以上の湯で満たされていると判断された以降に、湯水循環通路７を循環させる浴槽湯水を集熱器１で集熱される熱を利用して加熱するが、この加熱開始時刻と前記沸き上げ指定時刻との時間差と、情報格納部４３に格納されている浴槽２７の水加熱時間の制御情報と、少なくとも集熱器内液温検出手段５の検出温度と浴槽２７の設定水位と風呂設定温度と浴槽２７に張られた水の温度とに応じ、液体循環ポンプ４と浴槽湯水循環ポンプ８の駆動制御を以下のように行って、集熱器１で集熱した熱によって浴槽２７の水を加熱する。
【００５４】
まず、集熱利用浴槽水加熱制御手段４５は、情報格納部４３に格納されている前記制御情報の水加熱時間と、少なくとも集熱器内液温検出手段５の検出温度と浴槽２７の設定水位と風呂設定温度と浴槽２７に張られた水の温度（風呂温度センサ３９の検出温度）とに応じて、集熱利用の加熱時間を設定する。そして、この集熱利用加熱設定時間よりも前記時間差が大きい場合には、集熱利用浴槽水加熱制御手段４５は、前記判断時にすぐに液体循環ポンプ４と浴槽湯水循環ポンプ８とを駆動させて浴槽水の加熱を行い、前記水加熱時間経過後に液体循環ポンプ４と浴槽湯水循環ポンプ８とを停止するようにしてもよいし、前記時間差から前記水加熱時間を差し引いた時間が経過したときに液体循環ポンプ４と浴槽湯水循環ポンプ８とを駆動させて浴槽水の加熱を行い、前記水加熱時間経過したときにちょうど沸き上げ指定時刻となるようにしてもよい。
【００５５】
なお、集熱利用浴槽水加熱制御手段４５は、例えば液体循環ポンプ４と浴槽湯水循環ポンプ８を早めに停止する場合には、その停止から沸き上げ指定時刻までの時間に浴槽２７の湯が冷める割合も考慮して、特に気温が低い冬等は前記水加熱時間を長めに設定し、気温が高い夏等は前記水加熱時間を短めに設定するというように、気温等の条件に合わせて前記水加熱時間を設定し、気温等の情報も取り込んでその情報にも対応させて、液体循環ポンプ４と浴槽湯水循環ポンプ８の駆動制御をするとよい（図６のステップＳ１１〜Ｓ１３、参照）。例えば、晴れや曇りの日に、昼頃から、集熱器１で集熱した熱によって浴槽水を加熱すると、浴槽水は夕方には例えば６５℃といった温度に加熱され、その後、夕方以降に冷めて、例えば午後８時頃には４０℃程度の温度になる。なお、湯の沸き上げ指定時刻の５分前になったら、浴槽湯水循環ポンプ８を駆動させる（図６のステップＳ１４、Ｓ１５、参照）。
【００５６】
一方、前記集熱利用加熱設定時間よりも前記時間差が小さい場合には、集熱利用浴槽水加熱制御手段４５は、集熱器内液温検出手段５の検出温度が前記集熱利用浴槽水加熱設定温度以上であり、かつ、貯湯槽２内が前記満蓄判断設定温度以上の湯で満たされていると判断されたときに即座に液体循環ポンプ４と浴槽湯水循環ポンプ８の駆動制御を行い、集熱器１の集熱利用による浴槽湯水の加熱を行うが、この加熱では沸き上げ指定時刻に風呂設定温度までの加熱を行うことができないことになる。
【００５７】
そこで、この場合には、集熱利用浴槽水加熱制御手段４５は、補助燃焼制御手段５４に浴槽湯水の追い焚き指令を加え、浴槽湯水の沸き上げ指定時刻よりも早い時刻（例えば、補助燃焼制御手段５４のバーナ燃焼制御によって、沸き上げ指定時刻に風呂設定温度まで加熱できるような時刻）から、補助熱源装置２９を作動させてガス燃焼による追い焚きを行い、沸き上げ指定時刻には風呂設定温度に沸き上げるようにする。
【００５８】
なお、例えば晴れの日中は集熱器１の温度が高まり、図５のステップＳ６で、集熱器内液温検出手段５の検出温度が、貯湯槽内湯水温検出手段６ｄの検出温度よりも集熱利用貯湯槽加熱設定温度（例えば７℃）以上高いと判断され、集熱器１の熱利用による貯湯槽２内の湯水の加熱が可能となるが、その後、天候が曇りや雨に変わり、集熱器１の熱利用による貯湯槽２内の湯水の加熱が難しくなる場合がある。
【００５９】
そこで、図８のステップＳ３４、Ｓ３８の確認動作を設けており、ステップＳ３４で、集熱器内液温検出手段５の検出温度が貯湯槽内湯水温検出手段６ｄの検出温度よりも集熱利用貯湯槽加熱設定温度（例えば７℃）以上高い状態でなくなったときには（ステップＳ３４のＮｏ、参照）、ステップＳ３５〜Ｓ３８を経て、ステップＳ３８でＮｏと判断されたら、ステップＳ３１で補助熱源装置による加熱を行うようにしている。
【００６０】
また、浴槽湯水の沸き上げ指定時刻は、利用者によって様々であるが、一般には、夜の時間帯に指定されることが多く、それに対し、集熱器１による集熱は日没までの夕方の時間帯には終了してしまうため、沸き上げ指定時刻ぎりぎりまで集熱器１の集熱利用による浴槽湯水の加熱を行うことは難しい場合が多い。そこで、例えば情報格納部４３に毎日の日没時刻の情報を格納し、この情報に基づき、加熱開始時刻と沸き上げ指定時刻との時間差と集熱利用加熱設定時間とを比較する代わりに、加熱開始時刻と日没時刻との時間差と集熱利用加熱設定時間とを比較して、前記のような集熱利用浴槽水加熱制御手段４５による液体循環ポンプ４と浴槽湯水循環ポンプ８の駆動制御をするようにしてもよい。
【００６１】
いずれの場合も、利用者が入浴するときに、前記風呂温度センサ３９の検出温度に基づき、この検出温度が風呂設定温度であったときや風呂設定温度との差が許容範囲内の僅かな値の時には、前記のように、集熱器１で集熱した熱によって加熱された後に冷めた浴槽湯水をそのまま利用して入浴することができる。また、風呂温度センサ３９の検出温度が風呂設定温度よりも高いときには、例えば補助加熱装置２９から加熱していない水を足して浴槽湯水が風呂設定温度となるようにし（図７ステップＳ２１、Ｓ２２、参照）、風呂温度センサ３９の検出温度が風呂設定温度よりも低いときには、補助加熱装置２９で浴槽湯水の多少の加熱を行ったりすることにより、快適な入浴が可能となる。
【００６２】
また、前記注水制御手段４２は、湯水張り指令操作手段４９の操作に基づく湯水張り指令が行われたときに、集熱器内液温検出手段５により検出される検出温度が前記集熱利用浴槽水加熱用の水張り設定温度よりも低かったときには、湯水張り指令操作手段４９の操作日には集熱器１の集熱利用による浴槽水の加熱ができないと判断し、この判断信号をリモコン装置４０の報知手段４７に加える。
【００６３】
報知手段４７は、注水制御手段４２からの前記判断信号を受けて、湯水張り指令操作手段４９の操作日には集熱器１の集熱利用による浴槽水の加熱ができないことの報知と、湯水張り指令操作手段４９の操作日には集熱器１の集熱利用による浴槽水の加熱ができないことから、どのようにするかを利用者に決めてもらうための選択情報報知とを行う。この選択情報報知は、前記操作日に浴槽２７への水張りを行った後に補助加熱装置２９により風呂設定温度に加熱するか、浴槽２７への水張りを行わないで代わりに補助加熱装置２９によって加熱した湯を注水通路６２と湯水循環通路７とを通して浴槽２７へ湯張りするか（その場合の湯張りのタイミングはいつにするか）、水張りも湯張りも行わないか、の選択情報報知である。報知手段４７は、これらの報知を、音声または表示画面への表示またはその両方によって行う。
【００６４】
選択操作手段４８は、報知手段４７の報知に基づき、湯水張り指令操作手段４９の操作日に注水制御手段４２による水張りを行うか、浴槽２７への水張りを行わないで代わりに補助加熱装置２９によって加熱した湯を注水通路６２と湯水循環通路７とを通して浴槽２７へ湯張りするか、水張りも湯張りも行わないか、を選択操作するための手段であり、適宜のスイッチ等により形成された、利用者の手動による操作手段である。この選択操作手段４８により操作が行われると、その操作信号が注水制御手段４２に加えられる。
【００６５】
注水制御手段４２は、選択操作手段４８から操作信号が加えられたときには、その操作信号に基づき、水張りも湯張りも行わない操作信号が加えられたときには、水張りを行わず、補助燃焼制御手段５４の制御による湯張りも行わないようにする。また、水張りを行う操作信号が注水制御手段４２に加えられたときには、注水制御手段４２は、例えばこの操作信号が加えられたときに浴槽２７への水張りを開始する。そして、水張り終了後には、補助燃焼制御手段５４に指令を加え、補助燃焼制御手段５４の制御によって、補助熱源装置２９により沸き上げ指定時刻には風呂設定温度になるようにバーナ装置５３を用いて浴槽の水を追い焚きする。
【００６６】
また、水張りを行わないで代わりに湯張りを行う操作信号が加えられたときには、注水制御手段４２は、浴槽２７への水張りは行わずに、補助燃焼制御手段５４に湯張り指令を加え、補助加熱装置２９によって加熱した湯を注水通路６２と湯水循環通路７とを通して浴槽２７へ湯張りするようにする。
【００６７】
この湯張りのタイミングも、選択操作手段４８の操作により指定されるものであり、選択操作手段４８からの操作信号が加えられたときに直ぐに湯張りを行う場合には、操作信号が加えられた直後に補助燃焼制御手段５４によって補助加熱装置２９を作動開始させ、操作信号が加えられたときから予め定められている設定遅延時間経過後に湯張りを行う場合には、その設定遅延時間経過後に補助燃焼制御手段５４によって補助加熱装置２９を作動開始させるようにする。また、湯張り開始設定時刻に湯張りを開始するように操作信号が加えられたときには、その湯張り開始設定時刻に補助燃焼制御手段５４の制御により補助熱源装置２９を作動させて湯張りを開始し、沸き上げ指定時刻に湯張りが完了するように操作信号が加えられたときには、補助燃焼制御手段５４の制御によって、風呂設定温度の湯が沸き上げ指定時刻に浴槽２７の設定水位まで張られるようにする。
【００６８】
さらに、本実施例においては、計画停電による対応（地震と同じように、例えばマンションの給水用ポンプが止まることでトイレ等用の生活用水が止まるので、事前に浴槽へ水を貯める等の対応）も以下のようにすることができる。利用者が計画停電前に湯水張り指令操作手段４９を操作すると、このときに集熱器内液温検出手段５により検出される検出温度が、前記集熱利用浴槽水加熱用の水張り設定温度であれば、注水制御手段４２による浴槽２７への水張りが行われる。なお、湯水張り指令操作手段４９を操作したときに水張りを行うように設定すれば、集熱器内液温検出手段５による検出温度に関わらず、操作時に浴槽２７への水張りが行われるため、計画停電の可能性に合わせて、設定を変更し、湯水張り指令操作手段４９を操作したときに即座に浴槽２７への水張りが行われるようにしてもよい。前記水張りを確実とするために、自動スイッチとは別に水張りスイッチを設けるようにしてもよい。これにより、自動スイッチによる湯張りと水張りスイッチによる水張りとを分けることができ、より利便性が向上する。
【００６９】
そして、浴槽２７への水張りの後に、前記の如く、集熱利用浴槽水加熱制御手段４５は、集熱器内液温検出手段５の検出温度が前記集熱利用浴槽水加熱設定温度以上であり、かつ、貯湯槽２内が予め定められた満蓄判断設定温度以上の湯で満たされていると判断されたら、浴槽２７の水が沸き上げ指定時刻に風呂設定温度の湯となるように、集熱器１で集熱した熱の利用（集熱利用）によって浴槽２７の水を加熱するが、計画停電が実行されると、停電中は、集熱利用による浴槽湯水の加熱ができないため、沸き上げ指定時刻に風呂設定温度まで高めることができないことがある。
【００７０】
そこで、この場合は、停電終了後（電力供給復帰後）に、集熱利用浴槽水加熱制御手段４５は、情報格納部４３に格納された集熱器１の集熱利用の浴槽２７の水加熱時間の制御情報と、少なくとも集熱器内液温検出手段５の検出温度と浴槽２７の設定水位と風呂設定温度と浴槽２７に張られた水の温度に応じて、まず、集熱利用加熱設定時間を求める。なお、停電前に集熱利用の浴槽湯水の加熱が行われたときには、その加熱によって温められているので、その温度を停電終了時に検出し、その温度を浴槽２７に張られた水の温度として求める。
【００７１】
そして、停電終了後の現在時刻と沸き上げ指定時刻との時間差とに基づき、この時間差よりも前記集熱利用加熱設定時間が大幅に（予め定められた時間であって、例えば１２０分以上）長い場合には、集熱利用の加熱によっては沸き上げ指定時刻に浴槽湯水を風呂設定温度またはそれに近い温度の湯にできないことになるので、この場合、集熱利用浴槽水加熱制御手段４５は、補助燃焼制御手段５４に浴槽湯水の追い焚き指令を加えて、補助熱源装置２９の作動によって浴槽湯水を追い焚きし、前記沸き上げ指定時刻に浴槽湯水の温度が風呂設定温度または風呂設定温度に近い温度になるようにする。
【００７２】
なお、このような制御の代わりに、湯水張り指令操作手段４９である自動スイッチを自動的にオフにし、リモコン装置４０の報知手段４７によって報知するためのアラームを鳴らす等して自動スイッチをオフしたこと（湯水張り指令操作手段４９の指令を解除したこと）を利用者に知らせ、利用者によって浴槽２７の水を抜いてもらってから、補助熱源装置２９の作動によって湯張りを行うようにしてもよい。
【００７３】
また、計画停電が予定通り行われなかったときには、湯水張り指令操作手段４９の操作指令に伴う動作を通常通り行うようにすればよいが、利用者は、計画停電に対応させて水張りを停電前に行えるように湯水張り指令操作手段４９の操作を行ったものの、入浴が不要の場合は、湯水張り操作手段４９である自動スイッチをオフにすればよい。
【００７４】
なお、本発明は、前記実施例に限定されるものでなく、適宜設定されるものである。例えば、前記実施例では、湯水循環通路７は、液体循環通路３における貯湯槽内通過通路１１の下流側に熱的に接続されていたが、例えば図４に示すように、湯水循環通路７は、液体循環通路３における貯湯槽内通過通路１１の上流側に熱的に接続されてもよい。
【００７５】
また、例えば、情報格納部４３に気象情報を格納するようにし、湯水張り指令操作手段４９が操作されたときに、該湯水張り指令操作手段４９の操作日に集熱器１の集熱利用による浴槽水の加熱が可能かどうかを、情報格納部４３に格納された気象情報に基づき判断する気象情報対応集熱判断手段を注水制御手段４２に設け、その気象情報対応集熱判断手段によって前記操作日に集熱器１の集熱利用による前記浴槽水の加熱が可能であると判断されたときに浴槽２７への水張りを行うようにしてもよい。
【００７６】
なお、情報格納部４３に気象情報を格納する方法は、適宜設定されるものであるが、例えばリモコン装置４０の情報設定入力操作手段５１の操作によって気象情報を情報格納部４３に入力してもよいし、インターネットや携帯電話で受信したメールを転送受信できる機能や気象庁からのデータを受信できる機能を熱源装置の制御装置４１に設け、その機能によって気象情報を受信し、受信した気象情報を情報格納部４３に格納するようにしてもよい。
【００７７】
また、このように、情報格納部４３に気象情報を格納し、注水制御手段４２に気象情報対応集熱判断手段を設けた場合に、前記気象情報対応集熱判断手段によって、湯水張り指令操作手段４９の操作日に集熱器１の集熱利用による浴槽水の加熱が可能でないと判断されたときには、報知手段４７によって、湯水張り指令操作手段４９の操作日には集熱器１の集熱利用による浴槽水の加熱ができないことの報知と、前記操作日に浴槽への水張りを行った後に補助加熱装置２９により風呂設定温度に加熱するか、前記水張りを行わないで代わりに補助加熱装置２９によって加熱した湯を注水通路６２と湯水循環通路７とを通して前記浴槽へ湯張りするか、水張りも湯張りも行わないかの選択情報報知とを、前記実施例と同様に行うようにしてもよい。
【００７８】
この場合も、報知手段４７は、これらの報知を、音声または表示画面への表示またはその両方によって行うようにし、さらに、前記実施例に設けた選択操作手段４８を設けることにより、前記実施例とほぼ同様の動作により、同様の効果を奏することができる。
【００７９】
さらに、前記実施例では、注水制御手段４２は、予め指定したタイミングに風呂設定水位までの水張りを行うようにしたが、場合によっては、その風呂設定水位よりも予め定められた値だけ少なめの水位または多めの水位を太陽熱利用の設定水位として水張りしてもよい。例えば、情報格納部４３に気象情報を格納しておき、その日の天候によって、集熱器１の集熱利用によって浴槽湯水を加熱することにより、風呂設定温度よりも高めの温度に加熱できる場合には、風呂設定水位よりも少なめｚの水位を太陽熱利用の設定水位として水張りを行い、利用者が入浴する時間帯に注水制御手段４２が水を注水するようにしてもよいし、利用者が自分で水を足すようにしてもよい。
【００８０】
さらに、前記実施例では、集熱器内液温検出手段５を集熱器１内に設けたが、集熱器内液温検出手段は、集熱器１で集熱された液体の温度を検出できる手段であればよく、液体循環通路３の集熱器出口側に近い位置に設けてもよい。
【００８１】
さらに、給湯路１２の構成およびその補助加熱装置２９との接続構成や、湯水循環通路７と補助加熱装置２９との接続構成、補助加熱装置２９内の詳細なシステム構成等は、前記実施例に示した態様とは限らず、適宜設定されるものであり、例えば補助加熱装置２９は石油燃焼式の装置としてもよいし、電気式温水器としてもよい。
【産業上の利用可能性】
【００８２】
本発明の熱源装置は、集熱器で集熱した熱を効率的に利用することができ、必要に応じて地震や停電等の非常時の生活用水の確保も可能にできるので、例えば家庭用の熱源装置として利用できる。
【符号の説明】
【００８３】
１        集熱器
２        貯湯槽
３        液体循環通路
４        液体循環ポンプ
５        集熱器内液温検出手段
６        貯湯槽内湯水温検出手段
７        浴槽湯水循環通路
８        浴槽湯水循環ポンプ
９        液−液熱交換器
１１      貯湯槽内通過通路
１２      給湯路
１３      給水路
４０      リモコン装置
４１      制御装置
４２      注水制御手段
４３      情報格納手段
４５      集熱利用浴槽水加熱制御手段
４６      集熱利用貯湯槽湯水加熱制御手段
４７      報知手段
４８      選択操作手段
４９      湯水張り指令操作手段
５１      情報設定入力手段
【図１】
2014206341.tif 000003
【図２】
2014206341.tif 000004
【図３】
2014206341.tif 000005
【図４】
2014206341.tif 000006
【図５】
2014206341.tif 000007
【図６】
2014206341.tif 000008
【図７】
2014206341.tif 000009
【図８】
2014206341.tif 000010